(57)【特許請求の範囲】
【請求項１】
引戸装置の扉体の開閉移動を案内するためのガイド手段が無目の内部に収納され、このガイド手段が前記無目の背面部に沿って配置されている引戸装置の無目構造において、
前記無目の前記背面部に、前記無目の内側に突出している内側突出部が形成され、この内側突出部に前記ガイド手段が取り付けられており、
前記無目には、この無目の外側へ延出した外側延出部が設けられ、この外側延出部は、前記無目の前記背面部の外面が当てられてこの無目が取り付けられている壁の構成部材となっている壁構成部材に上から当接しており、この当接により、前記壁構成部材に対して前記無目が上下方向に位置決めされていることを特徴とする引戸装置の無目構造。
【請求項２】
請求項１に記載の引戸装置の無目構造において、前記外側延出部は、前記内側突出部から連続して延長されて形成された部分となっていることを特徴とする引戸装置の無目構造。
【請求項３】
請求項２に記載の引戸装置の無目構造において、前記背面部は、前記内側突出部となっている面部の下端から前記無目の外側へ水平又は略水平に屈曲している面部と、この面部の先端から上方へ立ち上がっている面部とを含んで形成されており、この上方へ立ち上がっている面部の上端に前記外側延出部が設けられていることを特徴とする引戸装置の無目構造。
【請求項４】
請求項１〜３のいずれかに記載の引戸装置の無目構造において、前記背面部は、前記無目の上面部における無目厚さ方向の一方の端部から下方へ少し垂下している第１面部と、この第１面部の下端から前記無目の内側へ水平又は略水平に屈曲している第２面部と、この第２面部の先端から下方へ垂下している第３面部と、この第３面部の下端から前記無目の外側へ水平又は略水平に屈曲している第４面部と、この第４面部の先端から上方へ立ち上がっている第５面部とを有し、前記第３面部が前記内側突出部となっており、前記第５面部の上端に前記外側延出部が設けられていることを特徴とする引戸装置の無目構造。
【請求項５】
請求項４に記載の引戸装置の無目構造において、前記第１面部の真下又は略真下の位置に前記第５面部が配置されていることを特徴とする引戸装置の無目構造。
【請求項６】
請求項１〜５のいずれかに記載の引戸装置の無目構造において、前記無目は板金製であり、前記内側突出部は前記板金の折り曲げで形成されていることを特徴とする引戸装置の無目構造。
【請求項７】
請求項１〜６のいずれかに記載の引戸装置の無目構造において、前記内側突出部は前記無目の全長に渡る長さを有していることを特徴とする引戸装置の無目構造。
【請求項８】
請求項１〜７のいずれかに記載の引戸装置の無目構造において、前記壁と前記内側突出部との間に空間があり、この空間に、前記内側突出部に前記ガイド手段を取り付けるための取付具の先端が突出していることを特徴とする引戸装置の無目構造。
【発明の詳細な説明】
【技術分野】
【０００１】
本発明は、引戸装置の扉体を開閉移動させるために案内するガイド手段が内部に配置される無目の構造に係り、例えば、扉体がガイド手段から吊り下げられた上吊り式となっている引戸装置に利用できるものである。
【背景技術】
【０００２】
扉体がガイド手段から吊り下げられた上吊り式となっている引戸装置では、扉体の上側に無目が配置され、この無目の内部に、扉体を開閉移動させるために案内するガイド手段となっているガイドレールが収納され、このガイドレールは、無目の背面部に沿って配置される。そして、下記の特許文献１では、無目の内部にガイドレールを収納配置するため、全体が平坦部となっている上記背面部の内面に取付部材を結合し、この取付部材にガイドレールを取り付けている。
【先行技術文献】
【特許文献】
【０００３】
【特許文献１】特開２０１０−３１４７５号公報（００３８段落、図２、図３及び図４）
【発明の概要】
【発明が解決しようとする課題】
【０００４】
上述の取付部材は、全体が平坦部となっている背面部に、ガイドレールを取り付けるための強度を付与する補強部材となっており、このため、ガイドレールを無目の背面部に沿って配置するためには、無目とは別の部材として製造される取付部材を用意しなければならず、このため、コスト等の点において、取付部材を省略することが求められる。
【０００５】
本発明の目的は、無目の背面部に、ガイド手段を取り付けるための取付部材を設けることが省略できる引戸装置の無目構造を提供するところにある。
【課題を解決するための手段】
【０００６】
本発明に係る引戸装置の無目構造は、引戸装置の扉体の開閉移動を案内するためのガイド手段が無目の内部に収納され、このガイド手段が前記無目の背面部に沿って配置されている引戸装置の無目構造において、前記無目の前記背面部に、前記無目の内側に突出している内側突出部が形成され、この内側突出部に前記ガイド手段が取り付けられていることを特徴とするものである。
【０００７】
本発明では、ガイド手段が配置される無目の背面部に、無目の内側に突出している内側突出部が形成されているため、背面部の全体は平坦部となっていない。そして、無目の背面部には、ガイド手段を取り付けるために必要となる強度が上記内側突出部により付与されており、これにより、ガイド手段を、内側突出部において無目の背面部に取り付けることが可能となり、無目の背面部に、ガイド手段を取り付けるための取付部材を設けることが省略できることになる。
【０００８】
本発明において、無目は板金製でもよく、鋳造品製でもよく、アルミダイキャスト製でもよく、その製造法及び材料は任意である。
【０００９】
無目を板金製とする場合には、上記内側突出部を板金の折り曲げで形成することができる。すなわち、無目を、板金のプレス装置やベンダー装置による折り曲げで形成する場合には、内側突出部をこれらのプレス装置やベンダー装置による折り曲げ加工により容易に形成することができる。
【００１０】
また、本発明において、内側突出部は、無目の全長より短い長さで設けてもよく、あるいは、無目の長さ方向にそれぞれが分離状態で複数個設けてよく、さらには、無目の全長に渡る長さで形成してもよい。
【００１１】
内側突出部を無目の全長に渡る長さとすると、ガイド手段は無目の全長と同じ又はこの全長よりも短い長さとなっているため、内側突出部を、ガイド手段の全長をカバーする長さとすることができる。また、無目の背面部に、ガイド手段を取り付けために必要とされる充分な強度を、内側突出部により無目の全長に渡って付与することができる。
【００１２】
さらに、内側突出部を無目の全長に渡る長さとし、かつ、無目を、板金のプレス装置ややベンダー装置による折り曲げで形成する場合には、内側突出部をこれらのプレス装置やベンダー装置による折り曲げ加工で形成する際に、内側突出部を無目の全長に容易に形成することが可能となる。
【００１３】
無目の前記背面部の外面を壁に当てることにより、無目をこの壁に取り付ける場合には、この取り付けのためには任意な手段を採用することができる。
【００１４】
その一例は、この壁と前記内側突出部との間に空間を設け、この空間に、内側突出部に前記ガイド手段を取り付けるための取付具の先端を突出させることである。
【００１５】
これによると、壁と内側突出部との間に設けられている空間に突出する取付具により、ガイド手段が内側突出部に取り付けられるため、この取付具の軸部は内側突出部を貫通することになり、したがって、この取付具による大きな強度によってガイド手段を内側突出部に取り付けることができる。
【００１６】
また、本発明において、上記取付具の先端は、壁まで到達してもよく、壁まで到達しなくてもよい。
【００１７】
上記取付具の先端が壁まで到達していない場合には、この先端は壁と干渉しないため、この取付具によるガイド手段の内側突出部への取付作業を容易に行えることになる。
【００１８】
また、本発明において、内側突出部の上方又は下方に、この内側突出部よりも無目の外側に突出した外側突出空間部を形成してもよい。これによると、この外側突出空間部を、引戸装置に関係する部材を収納するための空間部として利用可能とすることができる。
【００１９】
このように外側突出空間部を、引戸装置に関係する部材を収納するための空間部として利用可能とする場合の一例は、無目の内部に、前記扉体をガイド手段に案内させて自動移動するためのリニアモータ装置を配置する場合において、外側突出空間部に、リニアモータ装置のための電気配線を収納することである。
【００２０】
外側突出空間部に収納される上記部材は、この電気配線に限定されず、例えば、引戸装置に必要とされる補修用部品や補充用部品でもよく、あるいは、上記リニアモータ装置の構成部品やこのリニアモータ装置以外の扉体自動移動装置の構成部品でもよく、さらには、引戸装置のメンテナンス用工具等でもよい。
【００２１】
また、上記外側突出空間部に、リニアモータ装置のための電気配線を収納する場合であって、無目を、この無目の前記背面部の外面が当てられている壁に、外側突出空間部に頭部が露出しかつ外側突出空間部の奥側の壁部に軸部が挿通している結合具により結合する場合には、この結合具の上記頭部に、上記電気配線を結束するための結束部材を止着するようにしてもよい。
【００２２】
これによると、上記結合具により、無目をこの無目の背面部の外面が当てられている壁に結合する場合に、この結合具の頭部に電気配線を結束するための結束部材を止着するため、結合具の頭部により、電気配線を外側突出空間部の所定位置に不動状態にして配置することができる。
【００２３】
また、本発明において、無目に、この無目の外側へ延出した外側延出部を設け、この外側延出部を、無目の前記背面部の外面が当てられてこの無目が取り付けられる壁の構成部材となっている壁構成部材に上から当接させ、この当接により、壁構成部材に対して無目が上下方向に位置決めするようにしてもよい。
【００２４】
これによると、上記壁に無目を取付具により取り付ける際に、外側延出部を壁構成部材に上から当接させることにより、壁構成部材に対して無目を上下方向に位置決めできることになり、このため、壁に対して無目を所定の高さ位置にして配置できるようになる。
【００２５】
このように壁構成部材に対して無目を上下方向に位置決めするための上記外側延出部は、無目の任意な箇所に設けることができ、その一例は、外側延出部を、内側突出部から連続して延長されて形成された部分とすることである。
【００２６】
これによると、外側延出部を、内側突出部から連続して延長されて形成された部分として無目に形成することができるため、無目に外側延出部を容易に形成することができる。
【００２７】
以上説明した本発明に係る無目構造は、任意なタイプの引戸装置に適用することができる。すなわち、本発明に係る無目構造が適用される引戸装置は、扉体がこの扉体の開閉移動を案内する前記ガイド部材から吊り下げられた上吊り式の扉体となっているものでもよく、また、扉体の下側に配設されたガイドレール等のガイド部材に案内されて扉体が移動するものでもよく、扉体の下側と上側の両方に配設されたガイドレール等のガイド部材に案内されて扉体が移動するものでもよい。そして、扉体が上述の上吊り式の扉体となっている引戸装置の場合には、前記ガイド部材はガイドレールでもよく、スライドベアリングが用いられたスライドレール等でもよい。
【００２８】
また、本発明に係る無目構造が適用される引戸装置の扉体の個数は、１個でもよく、あるいは、開閉移動方向に並ぶことにより出入口等の開口部を閉じる複数個でもよい。扉体の個数が複数個である場合には、これらの扉体は引き違い式に配置されたものでもよく、入れ子式に配置されたもの、すなわち、扉体厚さ方向の寸法が大きい扉体の内部に、扉体厚さ方向の寸法が小さい扉体が出入自在に収納可能となっているものでもよい。
【００２９】
また、本発明は、２個の扉体の開閉移動方向が互いに逆方向となっている引き分け式の引戸装置にも適用することができる。
【００３０】
さらに、本発明に係る無目構造が適用される引戸装置には、出入口等の開口部を開けるために開き移動した前記扉体が収納される戸袋を備えているものでもよく、このような戸袋を備えていないものでもよい。
【００３１】
本発明に係る無目構造が適用される引戸装置が上記戸袋を備えているものである場合には、この戸袋は、開き移動した扉体の両方の面を覆う両面式の戸袋でもよく、あるいは、扉体の片面だけを覆う片面式の戸袋でもよい。
【００３２】
また、戸袋は、壁の内部に収納された壁収納型の戸袋でもよく、あるいは、壁等から露出して設置され、外部から視認可能となった露出型の戸袋でもよい。
【００３３】
さらに、本発明は、扉体の開き移動と閉じ移動のうち、少なくとも一方が駆動装置で自動的に行われる引戸装置に適用できるとともに、扉体の開き移動と閉じ移動の両方が手操作で行われる手動式の引戸装置にも適用することができる。
【００３４】
そして、上記駆動装置は、リニアモータ装置でもよく、渦巻きばねに蓄圧されるばね力を利用したばね式のものでもよい。
【発明の効果】
【００３５】
本発明によると、無目の背面部に、ガイド手段を取り付けるための取付部材を設けることが省略できるという効果を得られる。
【図面の簡単な説明】
【００３６】
【図１】図１は、本発明の一実施形態に係る無目構造が適用されている引戸装置の全体を示す正面図である。
【図２】図２は、図１のＳ２−Ｓ２線断面図である。
【図３】図３は、図１のＳ３−Ｓ３線断面図である。
【図４】図４は、図３のＳ４−Ｓ４線断面図であって、無目の内部に収納されている扉体移動機構を示す正面図である。
【図５】図５は、別実施形態に係る引戸装置の全体を示す正面図である。
【図６】図６は、さらに別実施形態に係る引戸装置の全体を示す正面図である。
【図７】図７は、図６のＳ７−Ｓ７線断面図である。
【図８】図８は、図６のＳ８−Ｓ８線断面図である。
【図９】図９は、図６の引戸装置の無目の内部に収納されている扉体移動機構を示す正面図であって、扉体が全閉位置に達しているときを示す図である。
【図１０】図１０は、図６の引戸装置の無目の内部に収納されている扉体移動機構を示す正面図であって、扉体が全開位置に達しているときを示す図である。
【図１１】図１１は、図６のＳ１１−Ｓ１１線断面図である。
【図１２】図１２は、図８のＳ１２−Ｓ１２線断面図である。
【発明を実施するための形態】
【００３７】
以下に本発明を実施するための形態を図面に基づいて説明する。図１には、本発明の一実施形態に係る無目構造が適用されている引戸装置の全体正面図が示されている。壁１５に沿って設置されているこの引戸装置は、左右方向に開閉移動する扉体１の閉じ側の位置に配置された戸先側縦枠部材２と、扉体１の開き側の位置に配置された戸尻側縦枠部材３と、これらの戸先側縦枠部材２と戸尻側縦枠部材３の上部間に架設された無目４とにより、扉体１が内側で移動する外枠構造体が形成されたものとなっており、戸先側縦枠部材２、戸尻側縦枠部材３及び無目４は、開閉移動する扉体１に対して不動となった不動部材となっている。
【００３８】
扉体１の開閉移動により、壁１５に形成された開口部となっている出入口１６が開閉され、壁１５により、本実施形態に係る引戸装置が設置されている建物内の２つの室内空間である廊下と部屋とが仕切られている。戸先側縦枠部材２、戸尻側縦枠部材３及び無目４は、例えば、壁１５の廊下側の外面に配置されており、壁１５のうち、出入口１６の上方は天井から垂下した下がり壁１５Ａとなっている。
【００３９】
図２は、この下がり壁１５Ａの箇所における図１のＳ２−Ｓ２線断面図である。無目４は板金の折り曲げ品であり、この無目４は、上面部４Ａと、この上面部４Ａにおける無目厚さ方向の一方の端部から下方へ垂下した背面部４Ｂと、上面部４Ａにおける無目厚さ方向の他方の端部に、少し下方へ垂下して斜め上向きに形成された被係止部４Ｃとを有する。これらの上面部４、背面部４Ｂ及び被係止部４Ｃは、無目の全長に渡る長さ、すなわち、戸先側縦枠部材２から戸尻側縦枠部材３までの長さを有している。被係止部４Ｃの下方は、無目の全長に渡る長さの点検用開口部４Ｄとなっており、通常時の点検用開口部４Ｄは、点検カバー６により塞がれている。
【００４０】
点検カバー６の上端には、被係止部４Ｃに上から係止される係止部６Ａが形成されており、また、点検カバー６の下端には、無目４の厚さ方向の幅を有する下面部６Ｂが設けられている。この下面部６Ｂの扉体移動方向（図１の左右方向）両端部に、図１で示されているように、戸先側縦枠部材２と戸尻側縦枠部材３に取り付けられているブラケット７，８にねじ込まれた止着具９，１０が挿通されている。無目４の内部には、扉体１を開閉移動させるための扉体移動機構が収納されており、止着具９，１０を取り外した後に、無目４を持ち上げて係止部６Ａを被係止部４Ｃから抜き取ることにより、点検カバー６を無目４から取り外すことができ、これにより、図２の点検用開口部４Ｄが開放され、この点検用開口部４Ｄから上記扉体移動機構等についての点検作業や補修作業等を行えるようになっている。
【００４１】
図３は、図１のＳ３−Ｓ３線断面図であり、図４は、図３のＳ４−Ｓ４線断面図である。この図４に、無目４の内部に収納配置されている上記扉体移動機構が示されている。この扉体移動機構は、扉体１の開閉移動を案内するためのガイド手段となっているガイドレール２０を含むものとなっており、前述の戸先側縦枠部材２等と共に不動部材となっているこのガイドレール２０は、図３に示されているように、上下方向に延びる基部２０Ａと、この基部２０Ａの下端から無目４の厚さ方向である点検カバー６の側へ延びるアーム部２０Ｂと、このアーム部２０Ｂの先端に立ち上り状態で形成された係合部２０Ｃとを有する断面略Ｌ字形となっている。図４に示されているように、扉体１の上面にはローラブラケット２１が結合され、このローラブラケット２１に回転自在に取り付けられたローラ２２がガイドレール２０に案内されて転動自在となっている。この転動により扉体１がガイドレール２０に沿って移動できるように、図３に示されているように、溝付きローラ２２の溝２２Ａがガイドレール２０の係合部２０Ｃに上から係合している。
【００４２】
このため、扉体１は、ガイドレール２０から吊り下げられた上吊り式となっている。また、図４に示されているように、ローラブラケット２１とローラ２２のそれぞれは、扉体１の移動方向に２個設けられている。
【００４３】
なお、図１に示すように、扉体１が上方で移動する床１１には、垂直軸を中心に回転自在となったガイドローラ１２が配置され、このガイドローラ１２は、図２に示すとおり、扉体１の下端に下向きに開口して配置されたチャンネル部材１Ａの内部に挿入されており、ガイドレール２０に案内される扉体１の開閉移動は、扉体１の下端がこのガイドローラ１２に案内されながら行われる。
【００４４】
また、本実施形態に係る扉体１は、図１に示されている把持部１Ｂを手で握って行われる手動操作移動と、無目４の内部に収納されている駆動装置で行われる自動移動とのうち、選択された一方により開閉移動させることができるようになっており、この選択は、図示されていない選択スイッチを操作することにより行われる。
【００４５】
そして、扉体１の開閉移動が手動操作移動で行われる場合でも、また、上記自動移動で行われる場合でも、扉体１の先端が図１で示した戸先側縦枠部材２に当接することにより、扉体１は、前述した出入口１６を閉じた全閉位置に達し、また、扉体１が、図４に示されているストップ部材１３で規定される位置まで後退することにより、扉体１は、出入口１６を開けた全開位置に達する。なお、ストップ部材１３は、ガイドレール２０に取り付けられている。
【００４６】
上記駆動装置は、図４で示されているリニアモータ装置２５である。このリニアモータ装置２５は、無目４の内部においてこの無目４に固定された制御装置２６と、無目４の内部において無目４に固定され、制御装置２６から供給されるパルス電力により磁力を発生させるコイル装置２７と、扉体１に配置され、コイル装置２７の磁力により扉体１に移動力を生じさせる磁石装置２８とを有している。図２に示されているように、制御装置２６は、無目４の上面部４Ａの下面に取り付けられている。また、図３に示されているように、コイル装置２７は、無目４にビス等の取付具２９で取り付けられたブラケット２７Ａと、このブラケット２７Ａに結合された箱型の本体２７Ｂと、この本体２７Ｂの内部に収納されたコイル部２７Ｃとを有するものとなっている。さらに、磁石装置２８は、前述のローラブラケット２１に設けられている上側突出部２１Ａに止着具３０で止着され、内部に空洞部２８Ａが設けられた本体２８Ｂと、空洞部２８Ａに収納固定された磁石２８Ｃとを備えるものとなっている。
【００４７】
この磁石装置２８は、図４に示すとおり、２個のローラブラケット２１に架け渡されて扉体１に配置され、これらのローラブラケット２１の間において、扉体１と磁石装置２８との間に補強部材３１が架設されている。上下を長さ方向とするこの補強部材３１により、磁石装置２８の長さ方向途中部が下方へ湾曲変形することが防止され、これにより、図３に示されているように、上下に対向しているコイル装置２７と磁石装置２８との間に、適正な小さな寸法となっている上下の隙間を設けることができるようになっている。
【００４８】
扉体１が、この扉体１の先端が前述の戸先側縦枠部材２に当接している全閉位置に達しているときに、図示しないセンサが扉体１に近づいた人間等を検知すると、このセンサからの信号により制御装置２６は、コイル装置２７に磁力を発生させるパルス電力を供給し、この磁力を受ける磁石装置２８により扉体１は開き移動する。また、この開き移動により開放された前述の出入口１６を人間等が通過したことが図示しないセンサで検知されると、このセンサからの信号により制御装置２６は、コイル装置２７に扉体１を閉じ移動させるためのパルス電力を供給し、これにより、コイル装置２７が発生させる磁力に受ける磁石装置２８によって扉体１は閉じ移動する。
【００４９】
図３に示されているように、無目４の前述した背面部４Ｂは、無目４の上面部４Ａにおける無目厚さ方向の一方の端部から下方へ少し垂下している第１面部４１と、この第１面部４１の下端から無目４の内側へ水平又は略水平に屈曲している第２面部４２と、この第２面部４２の先端から下方へ垂下している第３面部４３と、この第３面部４３の下端から無目４の外側へ水平又は略水平に屈曲している第４面部４４と、この第４面部４４の先端から上方へ立ち上がっている第５面部４５とからなり、第１面部４１の真下又は略真下の位置に第５面部４５が配置されている。このように背面部４Ｂが、第１面部４１の真下又は略真下の位置に配置された第５面部４５を備えたものとなっている場合には、後述する枠構造体５３の上側枠部材５３Ａに第５面部４５を当接させることができるため、第１面部４１と第５面部４５とにより、壁１５に無目４を安定させて取り付けることができるようになる。しかし、このような作用効果が求められない場合には、第５面部４５を省略してもよい。
【００５０】
また、本実施形態では、第３面部４３の上下寸法は第１面部４１の上下寸法よりも大きくなっており、本実施形態では、第３面部４３の上下寸法は、第１面部４１の上下寸法の３倍〜４倍となっている。
【００５１】
また、本実施形態では、第１面部４１の下端まで達していない第５面部４５の上端には、無目４の外側へ水平又は略水平に延出している外側延出部４６が形成されている。このような外側延出部４６が無目４に設けられていると、後述する作用効果を得られるが、このような作用効果が求められない場合には、この外側延出部４６を省略してもよい。
【００５２】
以上のように本実施形態に係る無目４の背面部４Ｂは、第１〜第５面部４１〜４５のうち、少なくとも第１〜第４面部４１〜４４で形成されているため、この背面部４Ｂは、全体が下方へ平坦に延びる平坦部となっていない。そして、第３面部４３は、無目４の内側に突出した内側突出部４３となっており、また、この内側突出部４３と、無目４が取り付けられている前述した壁１５（出入口１６の部分では、下がり壁１５Ａ）との間には、空間Ｓ１が設けられている。
【００５３】
また、内側突出部４３の上方には、無目４の上面部４Ａと、第１面部４１と、第２面部４２とにより、内側突出部４３よりも無目４の外側に突出した外側突出空間部Ｓ２が形成されており、第１面部４１は、この外側突出空間部Ｓ２の奥側の壁部４１、すなわち、外側突出空間部Ｓ２における無目４の外側の壁部４１となっている。
【００５４】
以上の形状となっている板金製の無目４は、プレス装置及び／又はベンダー装置による板金の折り曲げ加工で形成されている。そして、第１〜第５面部４１〜４５、空間Ｓ１及び外側突出空間部Ｓ２は、無目４の全長に渡って連続して形成されている。また、外側延出部４６は、無目４の全長に渡って連続して形成してもよく、あるいは、出入口１６と対応する部分だけに設けてもよい。外側延出部４６を出入口１６と対応する部分だけに設ける場合には、外側延出部４６を無目４の全長に渡って連続して形成した後に、出入口１６と対応する部分だけを残して切除する。
【００５５】
前述のガイドレール２０は、基部２０Ａがビス等の取付具４７で内側突出部４３に結合されることにより、無目４の内部に固定配置されている。また、コイル装置２７は、このコイル装置２７のブラケット２７Ａが前述したビス等の取付具２９で内側突出部４３に結合されることにより、無目４の内部に固定配置されている。これらの取付具２９，４７の軸部は内側突出部４３に挿通されているとともに、取付具２９，４７の先端２９Ａ，４７Ａは空間Ｓ１に突出しており、これらの先端２９Ａ，４７Ａは壁１５まで達していない。なお、これらの先端２９Ａ，４７Ａを壁１５まで到達させてもよい。
【００５６】
また、外側突出空間部Ｓ２には、電気配線４８が収納配置されており、結束部材４９で複数本が結束されて外側突出空間部Ｓ２に収納されているこれらの電気配線４８は、図４に示されているように、リニアモータ装置２５の制御装置２６とコイル装置２７を電気的に接続するためのものや、電源ケーブルとなっているものである。
【００５７】
また、前述した壁１５は、図２に示されているように、構造材５０が埋設されているコンクリート部５１と、このコンクリート部５１の外側に設けられたモルタル層５２とを有する。コンクリート部５１は、壁１５のコア部であり、モルタル層５２は、壁１５の壁仕上げ用表層部である。また、出入口１６の部分では、枠構造体５３が出入口１６の外縁部に配置され、出入口１６の見切り材となっているこの枠構造体５３は、出入口１６の上側外縁部に配置されている上側枠部材５３Ａについて示している図２のように、コンクリート部５１の構造材５０にアンカー部材５４を介して結合されたプレート状の係止部材５５に枠構造体５３を取り付けることにより、出入口１６の外縁部に配置されている。上側枠部材５３Ａを含むこの枠構造体５３も、モルタル層５２と同じく、出入口１６の部分における壁１５の表面の一部を構成している壁構成部材となっている。
【００５８】
図３に示すとおり、無目４は、無目４の背面部４Ｂを形成している前述の第１〜第５面４１〜４５のうち、無目４の最も外側の位置に配置されている第１及び第５面部４１及び４５の外面が壁１５に当てられており、そして、外側突出空間部Ｓ２の奥側の壁部４１となっている第１面部４１にビス等の結合具５６の軸部５６Ａが挿通され、この軸部５６Ａが壁１５のモルタル層５２を貫通してコンクリート部５１に達することにより、無目４は壁１５に結合されている。また、結合具５６の頭部５６Ｂは、外側突出空間部Ｓ２に露出している。
【００５９】
なお、本実施形態では、外側突出空間部Ｓ２の奥側の壁部４１の外面に補強部材５７（図２も参照）が固定されており、無目４の長さ方向に複数個設けられているこの補強部材５７にも結合具５６の軸部５６Ａが挿通されることにより、壁部４１の補強が行われているとともに、結合具５６による無目４の壁１５への結合強度を大きくすることが行われている。
【００６０】
壁１５に無目４を取り付けるための作業は、以下のようにして行われる。モルタル層５２が設ける前の壁１５のコンクリート部５１にアンカー部材５４を介して係止部材５５を結合し、この係止部材５５に上側枠部材５３Ａを含むこの枠構造体５３を溶接等で結合する。この後、無目４の外側延出部４６を上側枠部材５３Ａの上面部５３Ｂに上から当接させ、この当接により、無目４を、壁１５を構成する壁構成部材となっている上側枠部材５３Ａに対して上下方向に位置決めする。この後に、無目の第１面部４１にビス等による結合具５６の軸部５６Ａを挿通させて、この軸部５６Ａをコンクリート部５１に到達させ、これにより、無目の第１面部４１を、コンクリート部５１からモルタル層５２の厚さに相当する距離分だけ離した状態で、無目４をコンクリート部５１に結合する。
【００６１】
次いで、コンクリート部５１の表面にモルタルを塗布して壁１５を仕上げる作業を行い、これにより、図２及び図３で説明したように、壁１５にモルタル層５２を設ける。
【００６２】
そして、無目４の背面部４Ｂの内側突出部４３にガイドレール２０を取付具４７で取り付ける作業を行うとともに、無目４の外側突出空間部Ｓ２にリニアモータ装置２５の電気配線４８を収納する作業や、無目４の上面部４Ａの下面にリニアモータ装置２５の制御装置２６をビス等で取り付ける作業、無目４の内側突出部４３にリニアモータ装置２５のコイル装置２７を取付具２９で取り付け作業を行う。また、扉体１のローラブラケット２１に回転自在に取り付けられているローラ２２をガイドレール２０に転動自在に係合させた後に、２個のローラブラケット２１の上側突出部２１Ａにリニアモータ装置２５の磁石装置２８を結合する作業を行う。
【００６３】
なお、無目４の外側突出空間部Ｓ２に電気配線４８を収納する際に、複数本の電気配線を結束した結束部材４９を、結合具５６のうち、外側突出空間部Ｓ２に露出している頭部５６Ｂに、例えば、接着剤や結束部材４９に形成した切欠部により止着するようにしてもよい。
【００６４】
以上説明した本実施形態によると、無目４の背面部４Ｂには内側突出部４３が形成されているため、この背面部４Ｂの全体は平坦部となっていないとともに、背面部４Ｂの断面係数は、この内側突出部４３により大きくなっている。そして、扉体１の開閉移動を案内するガイド手段となっているガイドレール２０は、この内側突出部４３に取付具４７で取り付けられており、この取り付けのために必要される強度が、上記断面係数により大きくなっているため、無目４の背面部４Ｂに、ガイドレール２０を取り付けるための取付部材を設けることが省略できることになる。
【００６５】
また、無目４は板金製であるため、内側突出部４３を、板金をプレス装置やベンダー装置による折り曲げにより容易に形成することができる。
【００６６】
また、内側突出部４３は、無目４の全長に渡る長さを有するものとなっているため、無目４の全長と同じ又はこの全長よりも短い長さとなっているガイドレール２０の全長を内側突出部４３でカバーできるとともに、無目４の背面部４Ｂに、ガイドレール２０を取り付けために必要とされる充分な強度を、無目４の全長に渡って付与することができる。
【００６７】
さらに、内側突出部４３は無目４の全長に渡る長さとなっているため、無目４を、板金のプレス装置やベンダー装置による折り曲げで形成する際に、この内側突出部４３を無目４に容易に形成することができる。
【００６８】
なお、内側突出部４３を無目４の全長に渡って形成するのではなく、ガイドレール２０を取り付けるための内側突出部４３を無目４の全長のうちの一部だけに形成したり、複数個の内側突出部４３を無目４の全長に不連続で形成してよい。
【００６９】
また、本実施形態によると、無目４に内側突出部４３が形成されていることにより、無目４の背面部４Ｂと壁１５との間に空間Ｓ１を設けることができることになり、このため、無目４の内側突出部４３にガイドレール２０やリニアモータ装置２５のコイル装置２７を取り付けるために、取付具４７，２９の軸部を内側突出部４３に貫通させたときに、これらの取付具４７，２９の先端４７Ａ，２９Ａをこの空間Ｓ１に突出させることができ、これにより、ガイドレール２０とコイル装置２７を取付具４７，２９による大きな強度で無目４に取り付けることが可能となる。また、本実施形態では、取付具４７，２９の先端４７Ａ，２９Ａは壁１５に到達しておらず、これらの先端４７Ａ，２９Ａは壁１５と干渉していないため、これらの取付具４７，２９によってガイドレール２０、コイル装置２７を無目４に取り付けるための作業を容易に行える。
【００７０】
また、内側突出部４３の上方には、この内側突出部４３よりも無目４の外側に突出した外側突出空間部Ｓ２が形成され、この外側突出空間部Ｓ２に、リニアモータ装置２５の電気配線４８を収納しているため、この電気配線４８の収納スペースを無目４に設けることができる。
【００７１】
また、外側突出空間部Ｓ２に電気配線４８を収納する場合において、前述したように、複数本の電気配線４８を結束した結束部材４９を結合具５６の頭部５６Ｂに、例えば、接着剤や結束部材４９に形成した切欠部により止着するようにした場合には、電気配線４８を外側突出空間部Ｓ２の所定位置に不動状態にして配置することができる。
【００７２】
さらに本実施形態によると、図２及び図３に示されているように、外側突出空間部Ｓ２の開口側は、リニアモータ装置２５の構成部材となっている制御装置２６及びコイル装置２７で塞がれた状態になっているため、たとえ、結束部材４９が結合具５６の頭部５６Ｂから分離することがあっても、また、結束部材４９を結合具５６の頭部５６Ｂに止着しない場合であっても、電気配線４８が外側突出空間部Ｓ２から脱落することを制御装置２６及びコイル装置２７により防止することができる。
【００７３】
また、本実施形態では、無目４に、この無目４の外側へ延出した外側延出部４６が設けられ、この外側延出部４６を、無目４の背面部４Ｂの外面が当てられた壁１５の構成部材となっている前述の枠構造体５３の上側枠部材５３Ａに上から当接させているため、この当接により、枠構造体５３に対して、言い換えると、壁１５に対して、無目４を上下方向に位置決め配置することができ、無目４を壁１５の所定の高さ位置にして設置できる。
【００７４】
また、外側延出部４６を上側枠部材５３Ａに上から当接させることにより、無目４及びこの無目４の内部に収納固定されている部材の重量を上側枠部材５３Ａに支持させることができ、これにより、無目４を壁１５に結合するために必要となる結合具の個数を削減することができる。
【００７５】
さらに、外側延出部４６は、無目４の第３面部４３となっている内側突出部４３から、第４及び第５面部４４及び４５により連続して延長されて形成された部分となっているため、無目４を前述の板金の折り曲げ加工で形成する際に、この折り曲げ加工により外側延出部４６を容易に無目４に設けることができる。
【００７６】
図５は、別実施形態に係る引戸装置を示す。この引戸装置では、図１で説明した戸尻側縦枠部材３が省略されており、この戸尻側縦枠部材３の代わりとして、無目４の扉体開き側の端部を塞ぐために戸尻側端面部材６０が用いられている。そして、この戸尻側端面部材６０に、前述のブラケット８の代わりとして、前述の止着具１０がねじ込まれていて、無目４に点検カバー６をこの止着具１０で止着できるようにするためのブラケット６１が設けられている。
【００７７】
本発明に係る無目構造は、このような引戸装置にも適用することができる。
【００７８】
図６は、さらに別実施形態に係る引戸装置を示している。この引戸装置も、扉体１０１が、ガイド部材であるガイドレールから吊り下げられた上吊り式の扉体となっているとともに、開き移動した扉体１０１が収納される戸袋１０３が、壁１０５の内部に設けられている壁収納式の戸袋となっているものである。
【００７９】
この引戸装置の外枠構造体は、無目１１０と、扉体１０１が全閉位置に達して出入口１０２を閉じたときにこの扉体１０１の先端が当接する戸先側縦枠部材１１１と、この戸先側縦枠部材１１１とは扉体１０１の移動方向反対側に配置されている戸尻側縦枠部材１１２と、これらの縦枠部材１１１と１１２の間に配置されているとともに、出入口１０２を開けたときの扉体１０１が収納される戸袋１０３における出入口１０２の側の端部に配置された竪額縁１１３と、床１０４における戸袋１０３の下端に配置された幅木１１４とにより形成され、板金の折り曲げ品となっているこれらの無目１１０と戸先側縦枠部材１１１と戸尻側縦枠部材１１２と竪額縁１１３と幅木１１４は、引戸装置の外枠構造体を形成するための枠部材となっている。
【００８０】
出入口１０２は、これらの枠部材１１０〜１１４で形成された外枠構造体の内側の一部の空間となっている。本実施形態では、出入口１０２における床１０４上には沓摺り部材が配置されていないが、沓摺り部材を出入口１０２における床１０４上に配置してもよい。出入口１０２は扉体１０１で開閉され、この出入口１０２を開けるために開き移動したときの扉体１０１が収納される戸袋１０３は、壁１０５の内部に設けられた壁収納型の戸袋である。無目１１０は、戸先側縦枠部材１１１から戸尻側縦枠部材１１２まで延びる長さを有し、上記枠部材１１０〜１１４のうちの１つとなっている竪額縁１１３は、戸袋１０３における出入口１０２の側の見切り部材となっている。
【００８１】
また、戸袋１０３は、図６のＳ７−Ｓ７線断面図である図７で示されているように、ハット形状の断面が無目１１０及び幅木１１４の長手方向（図６では左右方向）に連続している補強部材１２０によって補強された構造となっており、板金の折り曲げ品となっているこの補強部材１２０は、扉体１０１の厚さ方向でもある戸袋１０３の厚さ方向の両側に設けられているとともに、縦枠部材１１１，１１２及び竪額縁１１３の長手方向でもある上下方向に複数個配設されている。そして、これらの補強部材１２０の上下において、内側壁材１２１が両面粘着テープ等による結合具で補強部材１２０に結合され、これらの内側壁材１２１の外側に外側壁材１２２が配置され、補強部材１２０にビスやステープル等の結合具で結合されているこの外側壁材１２２の表面に、クロス等の壁仕上げ材が取り付けられている。
【００８２】
このため、これらの内側壁材１２１と外側壁材１２２と壁仕上げ材により、壁１０５が形成され、戸袋１０３は、補強部材１２０が構造材となっている壁１０５の内部に形成されている。この壁１０５は、図６から分かるように、無目１１０の上側や、戸先側縦枠部材１１１に対して出入口１０２とは反対側の部分、戸尻側縦枠部材１１２に対して戸袋１０３とは反対側にも設けられている。壁１０５のこれらの部分の表面は、戸袋１０３における壁１０５の部分の表面と面一状態となっている。
【００８３】
なお、壁１０５のうち、出入口１０２の上方の部分は天井から垂下した下がり壁１０５Ａとなっている。
【００８４】
図８は、図６のＳ８−Ｓ８線断面図である。この図８で示されているように、無目１１０は、下がり壁１０５Ａの下地材１２７にアンカー部材１２８を介して結合された上面部１１０Ａと、この上面部１１０Ａにおける無目１１０の厚さ方向（図８では左右方向）の一方の端部から垂下した背面部１１０Ｂと、背面部１１０Ｂとは無目１１０の厚さ方向（扉体１０１の厚さ方向）の反対側の端部に、少し下方へ垂下して斜め上向きに形成された被係止部１１０Ｃとを有している。これらの上面部１１０Ａ、背面部１１０Ｂ及び被係止部１１０Ｃのうち、上面部１１０Ａ及び背面部１１０Ｂは無目１１０の全長に渡る長さ、すなわち、戸先側縦枠部材１１１から戸尻側縦枠部材１１２までの長さを有し、被係止部１１０Ｃは、出入口１０２と対応する無目１１０の長さ方向の長さを有している。被係止部１１０Ｃの下方は点検用開口部１１０Ｄとなっており、通常時の点検用開口部１１０Ｄは、図２及び図３で説明した前記実施形態とおなじく、点検カバー１３１により塞がれている。
【００８５】
なお、被係止部１１０Ｃ及び点検カバー１３１と対応する高さ位置における戸袋１０３の上部箇所には、図６及び図７で示されている上下複数個の前記補強部材１２０のうち、最上部の補強部材１２０Ａが配置されている。
【００８６】
図８に示されているように、点検カバー１３１の上端には、被係止部４Ｃに上から係止される係止部１３１Ａが形成され、また、点検カバー１３１の下端には、無目１１０の厚さ方向の幅を有する下面部１３１Ｂが設けられている。この下面部１３１Ｂの扉体移動方向（図６の左右方向）両端部に、図６で示されているように、戸先側縦枠部材１１１と竪額縁１１３に取り付けられているブラケット１３２，１３３にねじ込まれた止着具１３４，１３５が挿通されている。無目１１０の内部には、扉体１０１を開閉移動させるための扉体移動機構が収納されており、止着具１３４，１３５を取り外した後に、無目１１０を持ち上げて係止部１３１Ａを被係止部１１０Ｃから抜き取ることにより、点検カバー１３１を無目１１０から取り外すことができ、これにより、点検用開口部１１０Ｄが開放されて、この点検用開口部１１０Ｄから扉体移動機構等についての点検作業や補修作業等を行える。
【００８７】
また、図８に示されているように、無目１１０の前述した背面部１１０Ｂは、無目１１０の上面部１１０Ａにおける無目厚さ方向の一方の端部から下方へ少し垂下している第１面部１４１と、この第１面部１４１の下端から無目１１０の内側へ水平又は略水平に屈曲している第２面部１４２と、この第２面部１４２の先端から下方へ垂下している第３面部１４３と、この第３面部１４３の下端から無目１１０の外側へ水平又は略水平に屈曲している第４面部１４４と、この第４面部１４４の先端から上方へ立ち上がっている第５面部１４５と、この第５面部１４５から無目１１０の内側へ水平又は略水平に屈曲している第６面部１４６とからなる。そして、第５面部１４５が上方へ立ち上がっている第４面部１４４の先端は、第１面部１４１の位置を越えた無目１１０の外側の位置まで達している。また、第３面部１４３の上下寸法は第１面部１４１の上下寸法よりも大きくなっており、本実施形態では、第３面部１４３の上下寸法は、第１面部１４１の上下寸法の１．５倍〜２倍となっている。
【００８８】
また、このように無目１１０の背面部１１０Ｂを形成している第１〜第６面部１４１〜１４６のうち、第３面部１４３は、この実施形態における無目１１０の内側に突出した内側突出部１４３となっている。
【００８９】
また、図８において、無目１１０の背面部１１０Ｂの外側に外側壁材１３０が配置され、この外側壁材１３０の内側に内側壁材１２９が配置されている。これらの内側壁材１２９と外側壁材１３０は、第５面部１４５とは無目１１０の厚さ方向反対側において、無目１１０の上側にも配置されている。そして、これらの内側壁材１２９と外側壁材１３０は、図７に示されている内側壁材１２１と外側壁材１２２となっている。
【００９０】
また、無目１１０の背面部１１０Ｂの外側に配置されている外側壁材１３０の下端は、第４面部１４４まで達している。このため、この外側壁材１３０と前述の内側突出部１４３との間には、内側壁材１２９の厚さに相当する幅寸法の空間Ｓ１１となっている。また、この空間Ｓ１１の上方には、無目１１０の上面部１１０Ａと第１面部１４１と第２面部１４２とにより、内側突出部１４３よりも無目１１０の外側に突出した外側突出空間部Ｓ１２が設けられている。
【００９１】
以上の上面部１１０Ａ、背面部１１０Ｂの第１〜第６面部１４１〜１４６、空間Ｓ１１及び外側突出空間部Ｓ１２は、板金製の無目１１０を、板金をプレス装置やベンダー装置による折り曲げ加工で生産する際に、無目１１０の全長に渡って連続するものとして形成されている。
【００９２】
図１２は、図８のＳ１２−Ｓ１２線断面図である。図８で説明したアンカー部材１２８の下端は、図１２に示されているＬ字形の接続部材１２６の水平部１２６Ａの上に載せられ、この接続部材１２６の水平部１２６Ａは無目１１０の上面部１１０Ａに溶接で結合されているとともに、アンカー部材１２８と、接続部材１２６の水平部１２６Ａ及び鉛直部１２６Ｂとが溶接で結合されている。このようにアンカー部材１２８と無目１１０の上面部１１０Ａとの間にＬ字形の接続部材１２６を介入することにより、アンカー部材１２８と無目１１０の上面部１１０Ａとの結合作業が容易となり、また、アンカー部材１２８と無目１１０の上面部１１０Ａとの結合強度を大きくすることができる。
【００９３】
次に、無目１１０の内部空間に収納配置されている前述の扉体移動機構について説明する。図９は、この扉体移動機構によって扉体１０１が閉じ限位置（全閉位置）に達しているときを示し、図１０は、扉体１０１が開き限位置（全開位置）に達しているときを示している。
【００９４】
図９及び図１０に示すように、無目１１０の内部には扉体１０１の移動を案内するためのガイド部材であるガイドレール１５０が組み込まれ、上記扉体移動機構の主要な構成部材となっていて、無目１１０の略全長に亘る長さを有するこのガイドレール１５０は、図８に示すとおり、無目１１０の背面部１１０Ｂの第３面部１４３にビス等の取付具１５１で取り付けられている。このガイドレール１５０は、上下方向の寸法を有する基部１５０Ａと、この基部１５０Ａの下端から扉体１０１の厚さ方向の点検カバー１３１側へ水平に延びるアーム部１５０Ｂと、このアーム部１５０Ｂの先端から立ち上がった状態になっている係合部１５０Ｃとを有する。
【００９５】
図９で示すように、扉体１０１には、扉体１０１の上面に結合されたローラブラケット１５３，１５４に回転自在に取り付けられた２個のローラ１５５，１５６が扉体１０１の開閉移動方向に配設され、ローラブラケット１５３，１５４を介して扉体１０１の上方に配置されているこれらの溝付きローラ１５５，１５６は、ローラ１５６について示している図８のとおり、扉体１０１の上方に不動部材となって水平に架設されてガイドレール１５０の係合部１５０Ｃに係合している。このため、扉体１０１は、ローラ１５５，１５６が係合部１５０Ｃ上を転動することによりガイドレール１５０に沿って開閉移動するとともに、扉体１０１は、ガイドレール１５０にローラ１５５，１５６及びローラブラケット１５３，１５４を介して吊り下げられた上吊り式となっている。
【００９６】
また、図６に示すように、戸袋１０３に近い前記出入口１０２の床１０４には、垂直軸を中心に回転自在となったガイドローラ１５７が配置され、このガイドローラ１５７は、図８に示すとおり、扉体１０１の下端に下向きに開口して配置されたチャンネル部材１０１Ｂの内部に挿入されており、ガイドレール１５０に沿った扉体１０１の開閉移動は、扉体１０１の下端がこのガイドローラ１５７に案内されながら行われる。
【００９７】
図９に示されているように、ガイドレール１５０の扉体開き移動方向の端部には、扉体１０１を開き限位置に停止させるためのストップ装置１７０が取り付けられ、このストップ装置１７０は、扉体閉じ方向に向けて本体１７１に突設されたゴム等の弾性材料からなるストップ部材１７２と、本体１７１に取り付けられ、板ばねの折り曲げで形成されている係止部材１７３とを有する。一方、扉体１０１に設けられている２個のローラブラケット１５３，１５４のうち、扉体開き方向のローラブラケット１５４の後端には板状の受け部材１７４が結合され、この受け部材１７４には、小径ローラによる被係止部材１７５が取り付けられている。
【００９８】
扉体１０１を図６で示す把持部１０１Ａで開き方向に移動させ、この移動が開き限位置に達すると、図１０に示されているように、被係止部材１７５は、一旦上向きに湾曲変形してもとの形状に弾性復帰する係止部材１７３に係止されるとともに、受け部材１７４はストップ部材１７２に当接し、係止部材１７３が被係止部材１７５を係止することにより、扉体１０１は全開位置である開き限位置に停止する。
【００９９】
また、扉体１０１の把持部１０１Ａに扉体閉じ方向への操作力を作用させた場合には、被係止部材１７５は上向きに弾性変形する係止部材１７３から離脱するため、扉体１０１は、ガイドレール１５０とガイドローラ１５７に案内されて閉じ方向へ移動する。
【０１００】
また、図９及び図１０に示されているように、ガイドレール１５０の扉体閉じ方向の端部には、扉体１０１を自動的に閉じ移動させるための引張式駆動装置１８０が配置され、この駆動装置１８０は、図１０で示されているとおり、ブラケット１８１がガイドレール１５０に取り付けられることにより、ガイドレール１５０に組み付けられている。
【０１０１】
駆動装置１８０は、装置本体となっているケーシング１８０Ａの内部に回転自在に収納されたリール１８３を有し、このリール１８３の内部には渦巻きばねが配置され、この渦巻きばねの一端はリール１８３に結合されているとともに、他端はケーシング１８０Ａに結合されている。また、リール１８３には、図９及び図１０で示されているナイロン紐又はワイヤー等からなる紐状部材１８４の一端が結合され、この紐状部材１８４はケーシング１８０Ａから導出され、紐状部材１８４の他端は、扉体１０１に２個設けられているローラブラケット１５３，１５４のうち、扉体閉じ方向のローラブラケット１５３に結合されている。
【０１０２】
図９で示すように全閉位置である閉じ限位置に達している扉体１０１を把持部１０１Ａにより図１０で示すように開き方向へ移動させたときには、紐状部材１８４がリール１８３を回転させながら駆動装置１８０から繰り出され、このとき、リール１８３の内部の上述の渦巻きばねがリール１８３の回転で蓄圧されるようになっている。このため、この後に把持部１０１Ａから手を離すと（扉体１０１が図１０のように閉じ限位置に達しているときには、前述のように、把持部１０１Ａに扉体閉じ方向への操作力を作用させて被係止部材１７５を係止部材１７３から離脱させると）、渦巻きばねの蓄圧力によってリール１８３には、扉体１０１の開き移動時とは逆方向へリール１８３を回転させようとする回転力が作用しているため、この回転力で緊張する紐状部材１８４の引張力により、扉体１０１は閉じ方向へ引っ張られ、これにより、扉体１０１は閉じ限位置まで自動的に移動する。
【０１０３】
図９及び図１０に示すように、ガイドレール１５０には、閉じ方向への扉体１０１の移動速度を低速化させて制動させ、扉体１０１を閉じ限位置に減速させて到達させるための制動装置１９０が取り付けられている。この制動装置１９０は、シリンダ本体１９１と、シリンダ本体１９１にガイドレール１５０の長さ方向に伸縮自在に挿入されたピストンロッド１９２とを有するシリンダ装置で構成され、シリンダ本体１９１は、不動部材となっているガイドレール１５０に取り付けられている。
【０１０４】
図９及び図１０で示すように、扉体１０１に２個設けられているローラブラケット１５３，１５４のうち、扉体開き方向のローラブラケット１５４には、ピストンロッド１９２の先端部が挿抜自在となったキャッチ部材１９４が取り付けられ、ピストンロッド１９２の先端部と、この先端部が挿入されるキャッチ部材１９４の内部とのうち、一方には磁石が設けられ、他方にはこの磁石に吸着する磁性材料が設けられている。このため、ピストンロッド１９２とキャッチ部材１９４とは、磁力で接続分離自在となっている。
【０１０５】
図９に示すように扉体１０１が閉じ限位置に達しているときには、シリンダ本体１９１に対して収縮しているピストンロッド１９２の先端部がキャッチ部材１９４の内部に挿入された状態になっており、扉体１０１を開き方向へ移動させると、ピストンロッド１９２の先端部とキャッチ部材１９４とが上記磁力で接続されているため、ピストンロッド１９２はシリンダ本体１９１に対して伸び作動する。このピストンロッド１９２が伸び作動限に達してもさらに扉体１０１が開き方向に移動すると、図１０に示すように、ピストンロッド１９２とキャッチ部材１９４とが分離し、ピストンロッド１９２はその位置で停止する。また、扉体１０１が前述の引張式駆動装置１８０の駆動力で閉じ方向へ移動し始め、そして、この扉体１０１が所定位置に達すると、キャッチ部材１９４はピストンロッド１９２に当接してこれらのキャッチ部材１９４とピストンロッド１９２とが上記磁力で再度接続され、扉体１０１がさらに閉じ方向へ移動することにより、ピストンロッド１９２はシリンダ本体１９１に対して収縮作動する。
【０１０６】
なお、ピストンロッド１９２の先端部と、この先端部が挿入されるキャッチ部材１９４の内部とに互いに磁性が逆となった磁石を設けることにより、ピストンロッド１９２とキャッチ部材１９４とを上述と同様に接続分離自在としてよい。
【０１０７】
シリンダ本体１９１には、ピストンロッド１９２が伸び作動したときに多量のエアをシリンダ本体１９１の内部に吸引し、ピストンロッド１９２が収縮作動したときにはこのエアを絞りながら排出するバルブが設けられている。このため、ピストンロッド１９２が伸び作動する扉体１０１の開き移動時には、扉体１０１を軽く移動させることができ、また、ピストンロッド１９２が収縮作動する扉体１０１の閉じ移動時には、扉体１０１がシリンダ本体１９１の内部のエア圧力によって制動されながら移動し、これにより、扉体１０１は、減速された速度で閉じ限位置に達するようになっている。
【０１０８】
このため、本実施形態における制動装置１９０は、シリンダ装置による流体圧力式制動装置となっている。
【０１０９】
なお、制動装置を、シリンダ装置によるものとせず、この制動装置を、扉体の閉じ移動がラック及びピニオンを介して回転運動として伝達されるロータリ式のオイルダンパーとしてもよい。
【０１１０】
図８で説明したように、この実施形態に係る無目１１０の背面部１１０Ｂにも、図２及び図３で示した無目４の背面部４Ｂと同じく、内側突出部１４３が設けられているため、この背面部１１０Ｂの全体は平坦部になっていないとともに、背面部１１０Ｂの断面係数は、この内側突出部１４３により大きくなっている。そして、扉体１０１の開閉移動を案内するガイド手段となっていて、背面部１１０Ｂに沿って配置されるガイドレール１５０は、この内側突出部１４３に取付具１５１で取り付けられており、この取り付けのために必要される強度が、上記断面係数により大きくなっているため、この実施形態でも、無目１１０の背面部１１０Ｂに、ガイドレール１５０を取り付けるための取付部材を設けることが省略できることになる。
【０１１１】
また、内側突出部１４３の外側には空間Ｓ１１が設けられ、このため、内側突出部４３にガイドレール１５０を取り付けるために、取付具１５１の軸部を内側突出部１４３に貫通させたときに、この取付具１５１の先端１５１Ａをこの空間Ｓ１に突出させることができ、これにより、ガイドレール１５０を取付具１５１による大きな強度で無目１１０に取り付けることが可能となる。また、取付具１５１の先端１５１Ａが壁１０５の構成部材となっている外側壁材１３０に到達してこの外側壁材１３０と干渉することはないため、取付具１５１によってガイドレール１５０を無目１１０に取り付けるための作業を容易に行える。
【０１１２】
この実施形態における前述の外側突出空間部Ｓ１２には、何も収納しなくてよく、あるいは、引張式駆動装置１８０や制動装置に関係する部材、例えば、引張式駆動装置１８０の引張力調整工具や制動装置の制動力調整工具を両面テープ等の固定手段により固定して収納してもよい。
【０１１３】
図１１は、図６のＳ１１−Ｓ１１線断面図である。前述の縦枠部材１１１には、扉体１０１が全閉位置に達して出入口１０２を閉じたときにこの扉体１０１の先端に設けられている先端部材１０１Ｃが当接する凹部１１１Ａが形成されており、この凹部１１１Ａは、板金の折り曲げ品となっている縦枠部材１１１に１回のプレス加工を行うことにより凹部１１１Ａを形成できるように、深さが浅くなった溝状として形成されている。この凹部１１１Ａの深さは、先端部材１０１Ｃの扉体開閉移動方向の寸法と同じ又は略同じであり、又はこの寸法よりも小さくなっている。また、凹部１１１Ａの深さは、縦枠部材１１１の扉体開閉移動方向の寸法の半分と同じ又は略同じであり、又はこの寸法よりも小さくなっており、又は縦枠部材１１１の扉体開閉移動方向の寸法の２分の１から４分の１の範囲の寸法となっている。
【産業上の利用可能性】
【０１１４】
本発明は、無目の内部に扉体の開閉移動案内のためのガイド手段が配置される引戸装置に利用することができる。
【符号の説明】
【０１１５】
１，１０１  扉体
４，１１０  無目
４Ｂ，１１０Ｂ  背面部
１５，１０５  壁
１６，１０２  開口部である出入口
２０，１５０  ガイド手段であるガイドレール
４３，１４３  内側突出部である第３面部
４６  外側延出部
４７，１５１  取付具
４７Ａ，１５１Ａ  取付具の先端
４８  電気配線
４９  結束部材
５３  壁構成部材となっている出入口の枠構造体
５３Ａ  出入口の枠構造体のうちの上側枠部材
５６  結合具
５６Ａ  結合具の軸部
５６Ｂ  結合具の頭部
Ｓ１，Ｓ１１  空間
Ｓ２，Ｓ１２  外側突出空間部
【図１】
0005612911.tif 000002
【図２】
0005612911.tif 000003
【図３】
0005612911.tif 000004
【図４】
0005612911.tif 000005
【図５】
0005612911.tif 000006
【図６】
0005612911.tif 000007
【図７】
0005612911.tif 000008
【図８】
0005612911.tif 000009
【図９】
0005612911.tif 000010
【図１０】
0005612911.tif 000011
【図１１】
0005612911.tif 000012
【図１２】
0005612911.tif 000013